(57)【要約】      （修正有）【課題】封緘部の寸法に合わせて巻尺の位置を容易に決めることができ、両面テープが目盛又は本体に付着することのない両面テープカッターを提供する。【解決手段】両面テープ収納部と、前記両面テープ収納部内に回転可能に配置されると共に両面テープ５を支持する両面テープリール４と、前記両面テープを引き出す位置とずらして配置され、前記両面テープと平行な方向に引き出すことができる巻尺テープ７を有する巻尺６と、前記両面テープを切断する切刃３とを備え、前記巻尺テープには、その先端から所定の寸法の封筒の封緘部分の幅の位置である目安位置又は該目安位置より該先端に最大１ｃｍ寄った位置に目盛り線が記されている。【選択図】図２
0003166674.tif 000002
【実用新案登録請求の範囲】
【請求項１】
両面テープ収納部と、
前記両面テープ収納部内に回転可能に配置されると共に両面テープを支持する両面テープリールと、
前記両面テープを引き出す位置とずらして配置され、前記両面テープと平行な方向に引き出すことができる巻尺テープを有する巻尺と、
前記両面テープを切断する切刃とを備え、
前記巻尺テープには、その先端から所定の寸法の封筒の封緘部分の幅の位置である目安位置又は該目安位置より該先端に最大１ｃｍ寄った位置に目盛り線が記されていることを特徴とする両面テープカッター。
【請求項２】
前記巻尺テープの前記目盛り線の近傍に、前記所定の寸法の名称が記されていることを特徴とする請求項１に記載の両面テープカッター。
【請求項３】
前記所定の寸法として、角２、角３、長３及び長４を少なくとも含むことを特徴とする請求項１〜３のいずれか１項に記載の両面テープカッター。
【請求項４】
前記巻尺の先端から前記両面テープの方向に、前記巻尺と垂直に伸びたガイド棒を有することを特徴とする、請求項１〜３のいずれか１項に記載の両面テープカッター。
【請求項５】
前記巻尺テープを引き出した状態で任意の位置にロック可能であることを特徴とする請求項１〜４のいずれか１項に記載の両面テープカッター。
【請求項６】
前記巻尺テープは引き出されて直線状態を保つように、幅方向に湾曲した形状であることを特徴とする請求項１〜５のいずれか１項に記載の両面テープカッター。
【考案の詳細な説明】
【技術分野】
【０００１】
本考案は、両面テープカッターに関する。
【背景技術】
【０００２】
両面テープカッターの使用目的は様々であるが、特に封筒の封緘部に両面テープを貼り付けるために頻繁に用いられている。封筒の種類は長型、角型、洋封筒等があるが、各種類の封筒にそれぞれ各種の寸法のものが存在する。
従って、封筒を封緘する際には、両面テープカッターに支持された両面テープをその封緘部の寸法に合わせて引き出し、両面テープカッターの切刃によって切断する必要がある。
しかしながら、テープの引き出し量を封緘部の寸法に一致させるのは難しく、短すぎると封緘が不完全となり、逆に長すぎるとその部分を切断する等の処理が必要となる。
【０００３】
このため、特許文献１に開示されているように直線状の定規をテープカッターに取り付けたり、特許文献２に開示されているようにテープカッター本体に目盛を設けることが提案されている。
しかし、これらの文献に記載されたテープカッターは、定規や目盛に封緘部の寸法に合わせた記載がされているものではなく、ユーザ自身がテープの引き出し量を例えば２２５ｍｍのように予め求め、その求めた長さに合わせて、例えば１ｃｍ刻みに記された定規や目盛を引き出さなければならなかった。
一方、使用対象物に合わせて定規や目盛を設けた文房具も存在する。例えば、紙に２つの穴をあける２穴パンチでは、紙のサイズ（Ａ４、Ｂ５等）に対応してゲージに目盛が設けられており、対象の紙のサイズに対応する目盛を選択することのみにより、ゲージが目的の位置に調整される。
【０００４】
更に、上記公報に開示されている両面テープカッターの場合、引き出された両面テープが定規または両面テープカッター本体の目盛の上方に位置することになるため切断しにくいのみならず、両面テープが定規または両面テープ本体に付着する可能性が高いという問題もある。
【先行技術文献】
【特許文献】
【０００５】
【特許文献１】実公平１−０７５０６２号公報
【特許文献２】実公平２−０２２９６８号公報
【考案の概要】
【考案が解決しようとする課題】
【０００６】
解決しようとする問題点は、封緘部の寸法に合わせて巻尺上の目盛の位置を容易に決めることができ、両面テープが目盛又は本体に付着することのない両面テープカッターを提供することである。
【課題を解決するための手段】
【０００７】
本考案の両面テープカッターは、
両面テープ収納部と、
前記両面テープ収納部内に回転可能に配置されると共に両面テープを支持する両面テープリールと、
前記両面テープを引き出す位置とずらして配置され、前記両面テープと平行な方向に引き出すことができる巻尺テープを有する巻尺と、
前記両面テープを切断する切刃とを備え、
前記巻尺テープには、その先端から所定の寸法の封筒の封緘部分の幅の位置である目安位置又は該目安位置より該先端に最大１ｃｍ寄った位置に目盛り線が記されていることを特徴とする。
【０００８】
巻尺テープが両面テープと重ならないように両面テープに対して前後方向にずらして配置されている。このため、引き出された両面テープが目盛の上方ではなく前後にずれて位置することとなり、切断の邪魔にはならず、また、両面テープが巻尺テープに付着することもない。
巻尺テープ上の目盛の位置は通常の長さ表示（ｍｍ等）ではなく、封筒の大きさ、例えば長１、長２、長３・・・、角０、角１、角２、角３、角４、角４Ａ・・・等に対応する封緘部分の幅の位置である。封緘部分を貼付するために両面テープを切断する際に便利となる。切断された両面テープの長さが封緘部分よりもわずかでも長いと両面テープが封緘部分からはみ出してしまい使いづらい。一方、封緘部分よりもやや短くとも貼付の用途に用いることができる。そこで、封緘部分よりも最大で１ｃｍまで短い位置に目盛を記す。なお、封筒の幅は規格化されているが、封緘部分の幅は封筒製造会社により多少の異なりがある。多くの封筒製造会社による封筒に対応するため、標準的な封緘部分の幅よりも５ｍｍ程度短い位置に目盛を記しておくことが好ましい。
【０００９】
本考案の両面テープカッターは、
前記巻尺テープの前記目盛り線の近傍に、前記所定の寸法の名称が記されていることを特徴とする。
【００１０】
長１、長２、長３・・・、角０、角１、角２、角３、角４、角４Ａ等の名称が記されていれば、巻尺テープの位置を間違えることがなくなる。
【００１１】
本考案の両面テープカッターは、
前記所定の寸法として、角２、角３、長３及び長４を少なくとも含むことを特徴とする。
【００１２】
頻繁に使用されるサイズの封筒に対応するものである。
【００１３】
本考案の両面テープカッターは、
前記巻尺の先端から前記両面テープの方向に、前記巻尺と垂直に伸びたガイド棒を有することを特徴とする。
【００１４】
巻尺テープの位置と両面テープの位置とがずれて配置されるため、両面テープの切断される長さと巻尺テープの引き出された長さとに若干の差異が出てしまう可能性がある。この差異を小さくするため、両面テープの引き出される位置近くまでガイド棒を出して、切断する際の目安とする。
【００１５】
本考案の両面テープカッターは、
前記巻尺テープを引き出した状態で任意の位置にロック可能であることを特徴とする。
【００１６】
巻尺テープ引き出し、両面テープ引き出し及び切断の作業を片手で簡単に行なうことができる。
【００１７】
本考案の両面テープカッターは、
前記巻尺テープは引き出されて直線状態を保つように、幅方向に湾曲した形状であることを特徴とする。
【００１８】
引き出した状態で巻尺テープが垂れ下がらないので、両面テープの測長を確実に行なうことができる。
【考案の効果】
【００１９】
封緘部の寸法に合わせて巻尺の位置を容易に決めることができ、両面テープが目盛又は本体に付着することのない両面テープカッターを提供することができる。
【図面の簡単な説明】
【００２０】
【図１】図１は、両面テープカッターを斜め前方から見た斜視図である。（実施例１）
【図２】図２は、両面テープ及び巻尺テープを引き出した状態における両面テープカッターを斜め前方から見た斜視図である。（実施例１）
【図３】図３は、巻尺テープ上の目盛り線の例を示す図である。（実施例１）
【図４】図４は、封筒を裏面から見た図である。（実施例１）
【図５】図５は、封筒の幅、封緘部の幅及び両面テープの長さの例を示す図である。（実施例１）
【図６】図６は、両面テープカッターを斜め後方から見た斜視図である。（実施例２）
【図７】図７は、両面テープ及び巻尺テープを引き出した状態における両面テープカッターを斜め前方から見た斜視図である。（実施例２）
【考案を実施するための形態】
【００２１】
以下、本考案の実施例を示す。
【実施例１】
【００２２】
図１及び図２は、テープカッター１を斜め前方から見た斜視図である。このテープカッター１はテープ収納部２を形成され、長手方向の一端側に切刃３を設けられ、他端側に両面テープリール４を回転可能に支持している。両面テープリール４はテープ収納部２内に配置され、両面テープ５を支持する。両面テープリール４は、テープカッター１の長手方向と直交する方向（前後方向）の後方に配置されている。
【００２３】
テープカッター１には巻尺６が内蔵されている。巻尺６は巻尺テープ７とリセットボタン８を備えている。この巻尺６は、テープカッター１の長手方向の一端側且つ該長手方向と直交する方向（前後方向）の後方に配置されている。従って、巻尺６は、巻尺テープ７が両面テープ５と上下方向に重ならないように、両面テープ５に対して後方にずらして配置されて内蔵されていることになる。
【００２４】
巻尺テープ７は、引き出されて直線状態を保つものであり、好ましくは幅方向に湾曲した鋼鉄製のものである。巻尺テープ７の先端にはガイド棒７Ａが設けられている。図３は、巻尺テープ上の目盛り線の例を示す図である。目盛り線は、角２、角３、長３及び長４サイズの封筒の封緘部に用いるのに適した長さに付されている。むろん、これら以外のサイズの封筒に対応する目盛り線を付してもよい。使用する封筒のサイズに対応する目盛り線をテープカッター１１の切刃１３の線に合わせるように巻尺テープ７を固定し、両面テープ１５の先端をガイド棒７Ａの脇まで引き出して切刃１３によって切断すれば、両面テープを適切な長さに切断することができる。ガイド棒７Ａが両面テープ１５の近くにあるので、容易に作業をすることができる。
【００２５】
図４は、封筒を裏面から見た図である。封筒の幅ｘは、規格化されている。封緘部の幅ｙは、ｘよりも３〜１０ｍｍ短いが、封筒製作社により多少の異なりがある。図で点線で示した部分を両面テープで貼付するが、この部分の長さｚはｙよりも５ｍｍ程度短いものが使いやすい。図５は、封筒の幅、封緘部の幅及び両面テープの長さの例を示す図である。図３において、ガイド棒７Ａから目盛り線までの長さは両面テープの長さｚである。
【００２６】
巻尺６は、更に図示しないロック手段を備え、引き出された巻尺テープ７は、このロック手段によりロックされている。そして、リセットボタン８を押すことにより、ロック手段によるロックが解除されて巻尺テープ７は図示しないバネにより、テープカッター１内に復帰する。このような機能のロック手段及びリセットボタン８は各種のタイプのものが公知であり、それら公知の各種のものを用いることができる。
【００２７】
封筒の封緘部に両面テープを貼り付けるため上記構成のテープカッター１を用いる際には、図２に示すように巻尺テープ７を封緘部の寸法に合わせて引き出す。次いで、両面テープ５をフック部材７Ａの位置まで引き出して切刃３によって切断する。前述のように、巻尺６は、テープカッター１の前方に配置され、両面テープリール４は後方に配置されているので、巻尺６と両面テープ５とが上下に重なることはない。従って、切断の際に両面テープが目盛に付着することがない。
【００２８】
巻尺６はその性質上、小型のものでも最大長さをかなり長くすることができるので、あらゆる大きさの封筒の封緘に対応可能である。例えば最大長さが約５０ｃｍもあれば殆どの大きさの封筒の封緘に対応可能である。封緘作業が終了後、リセットボタン８を押すと、巻尺テープ７がテープカッター１内へ復帰する。なお、巻尺テープ７が引き出された状態のままにしておくことも勿論可能である。
【実施例２】
【００２９】
図６及び図７は、テープカッター１１を斜め後方から見た斜視図である。このテープカッター１１は、巻尺１６の構造が図１及び図２に示した実施例１によるテープカッター１１の場合と異なり、他は同一である。従って、以下においては、実施例１と異なる点のみを説明する。
【００３０】
巻尺１６は、図示しないロック手段を備え、引き出された巻尺テープ１７は、操作ボタン１８を一方向（図示した例では上方）に押すと、巻尺テープ１７はロック手段によりその位置にロックされる。操作ボタン１８を反対方向に押すと、ロックが解除されて巻尺テープ１７は図示しないバネにより、テープカッター１１内に復帰する。このような機能を有するロック手段及び操作ボタン８は各種のタイプのものが公知であり、それら公知の各種のものを用いることができる。なお、巻尺テープ１７の先端にはガイド棒７Ａが設けられている。
【００３１】
封筒の封緘部に両面テープを貼り付けるため上記構成のテープカッター１１を用いる際には、図４に示すように巻尺テープ１７を封緘部の寸法に合わせて引き出して操作ボタン１８を上方に押して巻尺テープ１７をその位置にロックする。次いで、両面テープ１５をフック部材１７Ａの位置まで引き出して切刃１３によって切断する。前述のように、巻尺１６は、テープカッター１１の後方に配置され、両面テープリール１４は前方に配置されているので、巻尺１６と両面テープ１５とが上下に重なることはない。従って、第１の実施の形態と同様、切断の際に両面テープが目盛に付着することがない。
【００３２】
また、実施例１と同様の理由により、あらゆる大きさの封筒の封緘に対応可能である。封緘作業が終了後、操作ボタン１８を下方に押すと、巻尺テープ１７がテープカッター１１内へ復帰する。なお、巻尺テープ１７が引き出された状態のままにしておくことも勿論可能である。
【００３３】
（実施例からの拡張）
以上、本考案を図面に示した２つの実施例に基づいて説明したが、本考案はこれらの実施形態には限定されず、種々変形可能である。
【００３４】
例えば、巻尺６，１６がテープカッター１，１１に内蔵されている例を示したが、内蔵に限らず、外付けであってもよく、例えばテープカッター１，１１の側面或いは上面に取り付けることができる。
【００３５】
また、両面テープリール４，１４が、テープカッター１，１１の長手方向と直交する方向（前後方向）の前方に配置され、巻尺６，１６が、テープカッター１，１１の後方に配置されている例を示したが、巻尺テープ７，１７が上下方向に両面テープ５，１５と重ならないように、両面テープ５，１５に対して前後方向にずらして配置されて内蔵されていればよい。例えば、両面テープリール４，１４が、テープカッター１，１１の長手方向と直交する方向（前後方向）の中央部に配置され、巻尺６，１６が、テープカッター１，１１の後方に配置されていてもよい。或いは両面テープリール４，１４が、テープカッター１，１１の長手方向と直交する方向（前後方向）の前方に配置され、巻尺６，１６が、テープカッター１，１１の中央部に配置されていてもよい。
【産業上の利用可能性】
【００３６】
封緘部の寸法に合わせて巻尺の位置を容易に決めることができ、両面テープが目盛又は本体に付着することのない両面テープカッターであり、多くの会社及び個人による利用が期待できる。
【符号の説明】
【００３７】
１    両面テープカッター
２    両面テープ収納部
３    切刃
４    両面テープリール
５    両面テープ
６    巻尺
７    巻尺テープ
７Ａ  ガイド棒
８    リセットボタン
１１  両面テープカッター
１２  両面テープ収納部
１３  切刃
１４  両面テープリール
１５  両面テープ
１６  巻尺
１７  巻尺テープ
１７Ａ  ガイド棒
１８  操作ボタン
【図１】
0003166674.tif 000003
【図２】
0003166674.tif 000004
【図３】
0003166674.tif 000005
【図４】
0003166674.tif 000006
【図５】
0003166674.tif 000007
【図６】
0003166674.tif 000008
【図７】
0003166674.tif 000009
【手続補正書】
【提出日】平成22年12月27日(2010.12.27)
【手続補正１】
【補正対象書類名】実用新案登録請求の範囲
【補正対象項目名】請求項３
【補正方法】変更
【補正の内容】
【請求項３】
前記所定の寸法として、角２、角３、長３及び長４を少なくとも含むことを特徴とする請求項１又は２に記載の両面テープカッター。